(57)【要約】【課題】作業者によって安全有効となる仮設足場を提供すること。【解決手段】仮設足場は、互いに対向配置された建枠３と、これらの建枠３同士を連結する布板４と、建枠３同士の間に水平に架け渡された手摺り３０と、を含んで形成され、それぞれの建枠３は補剛材７を備えており、布板４の上側に配置された手摺り３０の手摺り本体は、一本のパイプで形成されているとともに、手摺り３０の長さ方向の両方の端部がそれぞれの建枠３の補剛材７に連結されている。【選択図】図１
2008157022.tif 000002
【特許請求の範囲】
【請求項１】
それぞれが補剛材を備えていて、互いに対向配置された建枠と、これらの建枠同士を連結する布板と、この布板よりも上側において前記建枠同士の間に水平に架け渡されているとともに、手摺り本体が１本のパイプで形成された手摺りと、を含んで形成され、
前記手摺りの長さ方向の両方の端部が、それぞれの前記建枠の前記補剛材に連結されていることを特徴とする仮設足場。
【請求項２】
請求項１に記載の仮設足場において、前記補剛材は、下部が略水平となった縦方向の補剛材を含んで形成され、前記手摺りの端部は、前記縦方向の補剛材の下部に連結されていることを特徴とする仮設足場。
【請求項３】
請求項１に記載の仮設足場において、前記補剛材は、水平方向の補剛材を含んで形成され、前記手摺りの端部は、前記水平方向の補剛材に連結されていることを特徴とする仮設足場。
【請求項４】
請求項１に記載の仮設足場において、前記補剛材は、下部が略水平となった縦方向の補剛材と、水平方向の補剛材とで形成されているとともに、前記手摺りは上下二段あり、前記下段の手摺りの端部は、前記縦方向の補剛材の下部に連結され、前記上段の手摺りの端部は、前記水平方向の補剛材に連結されていることを特徴とする仮設足場。
【請求項５】
請求項１〜４のいずれかに記載の仮設足場において、互いに対向配置された前記建枠同士は、前記布板よりも上側においてＸ字状にクロス配置された２本のブレースによって連結されていることを特徴とする仮設足場。
【発明の詳細な説明】
【技術分野】
【０００１】
本発明は、手摺りを含んで形成された仮設足場に係り、建築工事現場や土木工事現場で組み立てられる仮設足場に利用できるものである。
【背景技術】
【０００２】
建築工事現場や土木工事現場で組み立てられる仮設足場には、作業者の安全を確保するために手摺りを設けることが要請されている。下記の特許文献１に示されている手摺りは、Ｘ字状にクロス配置される２本のブレースの交差部にブラケットで手摺り本体が結合されたものとなっており、この手摺り本体の長さ方向の両端には、仮設足場を構成する仮設足場用構成部材に連結される連結部が設けられ、これらの連結部は略Ｌ字状のブラケットによって形成されている。
【特許文献１】特開２００２−２４２４２０号公報（図１、図２、段落番号００１５）
【発明の開示】
【発明が解決しようとする課題】
【０００３】
仮設足場は、その工事現場に応じた任意な仮設足場用構成部材を用いて任意な形状に組み立てられ、仮設足場のための手摺りは、このような仮設足場に組み付け配設されるものであるため、手摺りが、仮設足場の組み立てのために用いられる各種の仮設足場用構成部材のうち、特定の仮設足場用構成部材だけに適用できて他の仮設足場用構成部材に適用できないことは好ましくなく、各種の仮設足場用構成部材に対して自由に適用できることが求められる。そのためには、手摺り本体の端部に設けられる連結部を、この連結部が連結される仮設足場用構成部材の形状の特性に適合させることが必要となる。
【０００４】
本発明は、仮設足場の組み立てのために用いられる各種の仮設足場用構成部材が丸パイプや丸棒等の断面円形の材料によって形成されていることに着目して発明されたものである。
【０００５】
本発明の目的は、仮設足場の組み立てのために用いられる各種の仮設足場用構成部材に対して自由に適用できるようになる仮設足場用手摺りを提供するところにある。
【課題を解決するための手段】
【０００６】
本発明に係る仮設足場用手摺りは、手摺り本体の長さ方向の両端に、仮設足場を構成する仮設足場用構成部材に連結される連結部が設けられている仮設足場用手摺りにおいて、前記連結部に円形又は略円形に開口した挿入部が設けられ、これらの挿入部に前記仮設足場用構成部材を挿入することによって前記仮設足場用構成部材に連結されることを特徴とするものである。
【０００７】
仮設足場の組み立てのために用いられる各種の仮設足場用構成部材は、丸パイプや丸棒等の断面円形の部材によって形成されており、本発明に係る仮設足場用手摺りの連結部には、円形又は略円形に開口した挿入部が設けられ、これらの挿入部に仮設足場用構成部材を挿入することにより、本発明に係る手摺りは仮設足場用構成部材に連結されるため、この手摺りは、仮設足場の組み立てのために用いられる各種の仮設足場用構成部材に対して自由に適用できるものとなり、適用自由度の向上で汎用性を備えることになる。
【０００８】
なお、上述の円形又は略円形に開口した挿入部とは、一部が欠けた欠円状に開口した挿入部や楕円形に開口した挿入部等でもよいとの意味であり、必ずしも真円状に開口した挿入部であることを要しない。
【０００９】
また、前記連結部は、円形又は略円形に開口した挿入部を備えていれば、任意な形状、構造によって構成することができる。その一例は、連結部を、手摺り本体の端部に結合されているとともに、第１欠部が形成されたベース部材と、この第１欠部を開閉するようにベース部材に対して遊動可能であって、第２欠部が形成された遊動部材と、を含んで構成し、第１欠部を閉じるように遊動部材がベース部材に対して遊動したときの第１欠部と第２欠部とによって前記挿入部が形成されるようにすることである。
【００１０】
これによると、遊動部材がベース部材の第１欠部を開いているときに、この第１欠部の内部に仮設足場用構成部材を挿入できるとともに、遊動部材が遊動して第１欠部を閉じることにより、第１欠部と遊動部材の第２欠部とによって仮設足場用構成部材を閉じ込めた挿入部を形成できることになる。
【００１１】
連結部をこのような構造とする場合には、遊動部材が遊動して第１欠部を閉じることは、遊動部材の自重によって行われるものでもよく、作業者の手作業によって行われるものでもよい。
【００１２】
また、連結部をこのような構造とする場合には、仮設足場用手摺りに、第１欠部と第２欠部とによって前記挿入部が形成されたときに、遊動部材のベース部材に対する遊動を止めるためのストップ手段を設けておくことが望ましい。これによると、ベース部材に対する遊動部材の遊動がストップ手段で阻止され、挿入部からの仮設足場用構成部材の脱落が防止される。
【００１３】
さらに、連結部は手摺り本体に着脱不能に設けてもよいが、連結部を手摺り本体に着脱可能に取り付け、連結部を、前記挿入部の前記開口の大きさが異なっている別の連結部に交換可能とすることがより好ましい。これによると、連結部を交換することにより、断面の直径が異なる各種の仮設足場用構成部材についても手摺りを適用できることになり、手摺りの汎用性が一層向上する。
【００１４】
また、手摺り本体の長さは、不変の一定長さとしてもよいが、手摺り本体の長さを伸縮可能とすることがより好ましい。これによると、手摺りが架け渡される２個の仮設足場用構成部材の間の間隔が異なる各種の仮設足場についても手摺りを適用できるようになり、手摺りの汎用性がさらに一層向上する。
【００１５】
なお、手摺り本体の長さを伸縮可能とする構造は、任意であり、例えば、断面の直径が異なる複数のパイプ材をスライド可能な入れ子式にして連結したものでもよく、複数のリンク部材同士を菱形等に連結することによってこれらのリンク部材からなる手摺り本体の長さを伸縮可能としてよい。
【００１６】
また、手摺り本体はパイプ材等による１本の棒材によって形成してもよく、あるいは、複数の棒材の組み合わせによって形成してもよく、さらに、面材と棒材等のように異種材料の組み合わせ等によって形成してもよい。さらに、手摺り本体の長さ方向の両端に設ける連結部の個数は、同じ側の端部で上下等の複数個としてもよい。
【００１７】
また、本発明に係る手摺りは、その手摺りだけが仮設足場に取り付けられるものでもよく、あるいは、ブレース等の他の部材と組み合わされて仮設足場に取り付けられるものでもよく、さらには、ブレース等の他の部材と予め組み合わされて１個のユニットを形成し、このユニットの一部として仮設足場に取り付けるものでもよい。
【００１８】
さらに、本発明に係る手摺りは、建築工事現場用の仮設足場にも用いることができ、土木工事現場用の仮設足場にも用いることができ、その仮設足場の工事対象物は任意である。
【発明の効果】
【００１９】
本発明によると、仮設足場の組み立てのために用いられる各種の仮設足場用構成部材に対して手摺りを自由に適用できるという効果を得られる。
【発明を実施するための最良の形態】
【００２０】
以下に本発明を実施するための形態を図面に基づいて説明する。図１は、本実施形態に係る手摺り３０が適用されている建築工事現場用の仮設足場１を示し、この仮設足場１は、それぞれの下端がベーススピンドル２で支持されて互いに対向配置された建枠３同士を布板４で連結するとともに、建枠３に突設されているグラビティロックピン５にブレース６の端部を挿入係合することにより、互いに対向配置された建枠３同士をＸ字状にクロス配置された２本のブレース６で連結することによっても形成されている。
【００２１】
本実施形態の手摺り３０は仮設足場１に二段手摺りを形成するために用いられるため、互いに対向している２個の建枠３の補剛材７に上下２個の手摺り３０の長さ方向の両端が連結されることにより、仮設足場１に二段手摺りが設けられる。これを具体的に説明すると、それぞれの補剛材７は、下部が略水平となった縦方向の補剛材７Ａと、水平方向の補剛材７Ｂと、で形成されているため、下段の手摺り３０は補剛材７Ａの下部同士の間に架け渡され、上段の手摺り３０は補剛材７Ｂ同士の間に架け渡される。これにより、上下二段の手摺り３０と、Ｘ字状にクロス配置された２本のブレース６とにより、仮設足場１に、安全上有効な手摺り構造体ができあがる。
【００２２】
図２は、手摺り３０の全体を示す正面図である。手摺り３０は、左右方向の長さを有する手摺り本体３１と、この手摺り本体３１の両端に設けられ、上記建枠３の補剛材７に連結される連結部３２とからなる。手摺り本体３１は、両端が押し潰し加工で鉛直の扁平部３３Ａとなっている１本のパイプ材３３で形成され、連結部３２は、図３にも示されているとおり、扁平部３３Ａにボルト・ナット３４で結合されたベース部材３５と、このベース部材３５に対し、頭部３６Ａ付きの第１ピン３６及び頭部３７Ａ付きの第２ピン３７で鉛直面において遊動可能に取り付けられた遊動部材３８と、からなる。
【００２３】
手摺り本体３１に対して鉛直姿勢となっているこれらのベース部材３５と遊動部材３８は厚板材で形成されているとともに、ベース部材３５の上端は水平に折り曲げられた折り曲げ部３５Ａとなっており、この折り曲げ部３５Ａが扁平部３３Ａの上辺部に係止された状態でベース部材３５が扁平部３３Ａにボルト・ナット３４で結合されることにより、ベース部材３５は、ボルト・ナット３４を中心とする回転が止められて手摺り本体３１に取り付けられている。
【００２４】
このようにベース部材３５と遊動部材３８とからなる連結部３２は、図２で示されているように、手摺り本体３１の長さ方向の両端において、この手摺り本体３１の表裏を違えて配設されているため、ベース部材３５と遊動部材３８は、両方の連結部３２について共通化された部材とになっている。
【００２５】
図４はベース部材３５の正面図で、図５は遊動部材３８の正面図である。図４に示すように、ベース部材３５には、ボルト・ナット３４のボルトを挿通するボルト孔３９が形成されているとともに、第１及び第２ピン３６，３７の軸部３６Ｂ，３７Ｂ（図６及び図７参照）を挿入固定するピン孔４０，４１も上下に形成されている。また、ベース部材３５には、下向きに開口した第１欠部４２が形成され、この第１欠部４２は、上部の半円形部４２Ａと、この半円形部４２Ａの直径寸法と同じ左右の幅寸法を有し、ベース部材３５の下辺３５Ｂから半円形部４２Ａまで達していて半円形部４２Ａをベース部材３５の外部へ連通させている鉛直の連通部４２Ｂと、からなる。
【００２６】
図５に示すように、遊動部材３８には長孔４３が形成され、この長孔４３は、図６及び図７に示されているとおり、第１及び第２ピン３６，３７の軸部３６Ｂ、３７Ｂが挿入されてこれらのピン３６，３７の頭部３６Ａ，３７Ａで抜け止め係止されるガイド長孔であり、このガイド長孔４３は、図７で示されているように、連結部３２が図１の仮設足場１の構成部材である建枠３の前述した補剛材７に連結されたときに、略Ｊ字をなす形状となっているため、ガイド長孔４３は、図５で示すように、上下方向に延びる第１長孔部４３Ａと、この第１長孔部４３Ａの下端から斜め下側であって手摺り３０の長さ方向外側へ延びる第２長孔部４３Ｂと、からなる。また、ガイド長孔４３には、第１長孔部４３Ａと第２長孔部４３Ｂとの接続部において、手摺り３０の長さ方向外側からガイド長孔４３の内側へ突出する突出部４４が形成されているとともに、第１長孔部４３Ａにおいて、ガイド長孔４３から手摺り３０の長さ方向内側へ凹出する窪み部４５が形成されている。
【００２７】
また、遊動部材３８の下部には、連結部３２が図７で示したように建枠３の補剛材７に連結されたときに、手摺り３０の長さ方向内側から外側へ延びていて、ベース部材３５の第１欠部４２の連通部４２Ｂを手摺り３０の長さ方向内側から半分以上塞ぐための延出部４６が形成され、この延出部４６の上側は、遊動部材３８に形成された第２欠部４７となっている。この第２欠部４７は、ベース部材３５の第１欠部４２の半円形部４２Ａと同じ曲率半径で形成された湾曲凹状部となっており、また、第２欠部４７の上部には、手摺り３０の長さ方向外側へ突出した突起部４８が設けられている。
【００２８】
さらに、遊動部材３８には、手摺り３０の長さ方向における延出部４６とは反対側において、手摺り３０の長さ方向内側であって斜め下側へ延出した指掛け部４９が設けられている。
【００２９】
以上において、遊動部材３８のガイド長孔４３は、ベース部材３５に固定されている第１及び第２ピン３６，３７の軸部３６Ｂ，３７Ｂに対してスライド自在となっているため、指掛け部４９に掛けた指によって遊動部材３８に鉛直方向への回動力を作用させると、遊動部材３８は、ガイド長孔４３と第１及び第２ピン３６，３７の案内作用により、ベース部材３５に対して鉛直面内で遊動する。
【００３０】
図６は、連結部３２を建枠３の補剛材７に連結する前におけるその連結部３２の形状を示している。このときにおける第１ピン３６の軸部３６Ｂはガイド長孔４３の窪み部４５に挿入係合しているとともに、第２ピン３７の軸部３７Ｂはガイド長孔４３の第２長孔部４３Ｂの終端部近くに挿入係合している。これにより、遊動部材３８は、第１ピン３６又は第２ピン３７を中心に鉛直面内で回動することが阻止されて、ベース部材３５に対して一定姿勢を維持している。また、このときには、遊動部材３８の延出部４６は、ベース部材３５の第１欠部４２の連通部４２Ｂから外れた位置にあり、このため、遊動部材３８はこの第１欠部４２を開いており、また、このときには、遊動部材３８の突起部４８は、この第１欠部４２内に突出している。
【００３１】
手摺り３０を図１で示した仮設足場１の互いに対向する建枠３同士の間に掛け渡す作業を行うときには、図６で示したように、遊動部材３８を、この遊動部材３８によってベース部材３５の第１欠部４２が閉じられない位置へ指掛け部４９によって遊動させておき、次いで、手摺り３０の連結部３２を建枠３の補剛材７に向かって上から落とし込む。これにより、ベース部材３５の第１欠部４２内に突出していた遊動部材３８の突起部４８には、補剛材７から上向きの荷重が作用し、このため、遊動部材３８は少し浮き上がりながら突起部４８が手摺り３０の長さ方向内側へ回動する遊動運動を行い、この運動に引き続いて遊動部材３８は、遊動部材３８自身の自重によって落下するため、図７で示すように、第１ピン３６の軸部３６は、ガイド長孔４３の第１長孔４３Ａの上端部に挿入係合し、第２ピン３７の軸部３７Ｂは、ガイド長孔４３における窪み部４５の下側部分であって前記突出部４４が突出している部分に挿入係合する。
【００３２】
このように遊動部材３８が遊動して落下する運動を行うことは、遊動部材３８によってベース部材３５の第１欠部４２が閉じられることであり、すなわち、この第１欠部４２の連通部４２Ｂの左右幅寸法の半分以上は、図７で示されているとおり、遊動部材３８の延出部４６によって閉じられる。そして、このように第１欠部４２の連通部４２Ｂの左右幅寸法の半分以上が遊動部材３８の延出部４６によって閉じられると、連結部３２には、ベース部材３５の第１欠部４２と遊動部材３８の第２欠部４７とにより、補剛材７が挿入された挿入部５０が形成されることになり、この挿入部５０は、断面が円形となっている補剛材７のその断面形状と対応して開口した略円形であって、円周方向の一部が欠けた欠円状となっている。
【００３３】
これにより、手摺り本体３１の端部に設けられている連結部３２は、掛け止め状態で補剛材７に連結されたことになり、手摺り本体３１の両端の連結部３２を、図１で示した互いに対向配置されている建枠３同士の補剛材７に連結することにより、手摺り３０はこれらの建枠３の間に掛け渡されたことになる。
【００３４】
また、遊動部材３８が図７で示した位置へ遊動することによって連結部３２に挿入部５０が形成されたときには、遊動部材３８がベース部材３５に対して遊動することが第１ピン３６及び第２ピン３７によって阻止されており、したがって、これらのピン３６，３７は、ベース部材３５に対する遊動部材３８の遊動を止めるためのストップ手段５１を構成している。
【００３５】
手摺り３０を図１の仮設足場１から取り外すときには、前記指掛け部４９に指を掛けることにより、遊動部材３８の全体を持ち上げつつ突起部４８が手摺り３０の長さ方向外側へ回動する遊動運動を遊動部材３８に行わせ、これにより、遊動部材３８は図６の位置へ戻ることになり、これによってベース部材３５の第１欠部４２は開放されて挿入部５０は大きく開口するため、連結部３２を補剛材７から抜き取ることができる。
【００３６】
以上説明した本実施形態によると、手摺り本体３１の両端に設けられる連結部３２は、略円形に開口した挿入部５０を有するものとなっており、仮設足場を構成する仮設足場用構成部材は、丸パイプや丸棒のように断面円形となっている材料によって形成されているため、本実施形態に係る手摺り３０は、建枠３の補剛材７はもちろんのこと、仮設足場の組み立てのために用いられる各種の仮設足場用構成部材に対して自由に適用できるようになり、各種の仮設足場において使用できる汎用性を備えるようになる。
【００３７】
また、連結部３２は、第１欠部４２が形成されたベース部材３５と、第１欠部４２を開閉するようにベース部材３５に対して遊動可能であって、第２欠部４７が形成された遊動部材３８と、で構成され、第１欠部４２を閉じるように遊動部材３８がベース部材３５に対して遊動したときの第１欠部４２と第２欠部４７とによって仮設足場用構成部材を挿入するための挿入部５０が形成されるため、遊動部材３８が遊動する前は大きく開放されている第１欠部４２に仮設足場用構成部材を挿入できるとともに、遊動部材３８の遊動後は、第１欠部４２が遊動部材３８によって閉じられることにより、第１欠部４２と第２欠部４７とからなる挿入部５０からの仮設足場用構成部材の脱落を確実に防止できる。
【００３８】
また、遊動部材３８が第１欠部４２を閉じるようにベース部材３５に対して遊動することは、図６の状態となっていた遊動部材３８の突起部４８に仮設足場用構成部材を当接させることによって遊動し始める遊動部材３８の自重によって自ずと行われるため、仮設足場用構成部材に連結部３２を連結する作業を簡単に行える。
【００３９】
さらに、連結部３２を仮設足場用構成部材に連結した後は、遊動部材３８がベース部材３５に対して遊動することを止めるためのストップ手段５１が第１及び第２ピン３６，３７によって形成されるため、遊動部材３８の遊動で第１欠部４２が大きく開放されることはなく、このため、挿入部５０からの仮設足場用構成部材の脱出を確実に防止できる。
【００４０】
図８は、断面の直径が大きい仮設足場用構成部材１７に適用できる連結部１３２の実施形態を示し、図９は、断面の直径が小さい仮設足場用構成部材２７に適用できる連結部２３２の実施形態を示す。図８の連結部１３２も、ベース部材１３５と、このベース部材１３５に対して遊動可能となっている遊動部材１３８と、で構成され、これらのベース部材１３２、遊動部材１３８に形成されている第１欠部１４２、第２欠部１４７の大きさは、断面の直径が大きい仮設足場用構成部材１７と対応した挿入部１５０を形成できる大きさとなっている。また、図９の連結部２３２も、ベース部材２３５と、このベース部材２３５に対して遊動可能となっている遊動部材２３８と、で構成され、これらのベース部材２３５、遊動部材２３８に形成されている第１欠部２４２、第２欠部２４７の大きさは、断面の直径が小さい仮設足場用構成部材２７と対応した挿入部２５０を形成できる大きさとなっている。
【００４１】
これらの実施形態におけるベース部材１３５，２３５は、前述した実施形態のベース部材３５と同じく、手摺り本体３１にボルト・ナット３４で結合されている。このため、それぞれのベース部材３５，１３５，２３５は手摺り本体３１に対して着脱可能となっており、言い換えると、ベース部材３５，１３５，２３５を構成部材としている連結部３２，１３２，２３２は、手摺り本体３１に着脱可能に取り付けられている。このため、同じ手摺り本体３１に対し、開口の大きさが異なる挿入部５０，１５０，２５０を有している連結部３２，１３２，２３２を交換できるようになっている。
【００４２】
これにより、各種の仮設足場用構成部材に対する手摺り３０の自由な適用性が一層向上することになる。
【００４３】
なお、手摺り本体３１の両端に取り付ける連結部は、断面の直径が同じになっている仮設足場用構成部材のための連結部でもよく、断面の直径が異なっている仮設足場用構成部材のための連結部でもよい。
【００４４】
図１０は、図８の連結部１３２が手摺り本体３１の両端に取り付けられた手摺り３０を、断面の直径が大きい仮設足場用構成部材同士の間に掛け渡した実施形態の場合における仮設足場１１を示す。この仮設足場１１は、それぞれがベーススピンドル１２で支持された単管による縦材１３と、これらの縦材１３にクランプ１４で結合された単管による下段の水平材１５及び上段の水平材１６と、下段の水平材１５同士の間に掛け渡された布板１８と、で形成され、上段の水平材１６同士の間に上記手摺り３０が掛け渡されている。
【００４５】
仮設足場用構成部材である水平材１６は、図１の建枠３の補剛材７よりも断面の直径が大きい単管であるが、手摺り本体３１の両端に、図６及び図７の連結部３２に代えて図８の連結部１３２を取り付けることにより、図１０の仮設足場１１にも手摺り３０を適用できることになる。
【００４６】
図１１は、手摺り本体３１の長さを伸縮可能とした実施形態の手摺り３０を示す。この実施形態の手摺り本体３１は一本のパイプ材で形成されておらず、この手摺り本体３１は、それぞれ一方の端部をボルト・ナット３４で連結部３２を結合するための扁平部３３３Ａ，３３４Ａとされた２本の基本パイプ材３３３，３３４と、内径及び外径が同じになっているこれらの基本パイプ材３３３，３３４のうちの一方３３４の内部に一方の端部側が挿入され、この一方の基本パイプ材３３４に溶接部３３５で接合一体化された延長パイプ材３３６と、からなり、他方の基本パイプ材３３３の内部には、延長パイプ材３３６の他方の端部側がスライド自在に挿入されている。
【００４７】
基本パイプ材３３３の外周面にはナット３３７が取り付けられ、このナット３３７に螺入されたボルト３３８は基本パイプ材３３３を貫通してこのパイプ材３３３に内部に侵入可能である。延長パイプ材３３６を基本パイプ材３３３に対してスライドさせて手摺り本体３１の全長が所定の長さになったときに、ボルト３３８を回転操作してその先端を延長パイプ材３３６に強く当接させることにより、手摺り本体３１をその長さに固定することができる。
【００４８】
この実施形態によると、手摺り本体３１の長さを調整できるため、手摺り３０を掛け渡す２個の仮設足場用構成部材の間の間隔が異なっている各種の仮設足場についても、手摺り３０を共通使用できるようになり、手摺り３０の汎用性が一層向上する。
【００４９】
この実施形態のように手摺り本体の長さを伸縮可能とすることは、図８及び図９で説明した連結部を交換可能とすることと組み合わせて実施することもできる。
【産業上の利用可能性】
【００５０】
本発明は、仮設足場に作業者の安全のために設けられる手摺りに利用できる。
【図面の簡単な説明】
【００５１】
【図１】本発明の一実施形態に係る手摺りが適用されている建築工事現場用の仮設足場を示す斜視図である。
【図２】図１で示されている手摺りの全体を示す正面図である。
【図３】手摺りの連結部を示す斜視図である。
【図４】ベース部材の正面図である。
【図５】遊動部材の正面図である。
【図６】連結部を仮設足場用構成部材である図１の建枠の補剛材に連結する前におけるその連結部の形状を示す正面図である。
【図７】連結部を仮設足場用構成部材である図１の建枠の補剛材に連結した後におけるその連結部の形状を示す正面図である。
【図８】断面の直径が大きい仮設足場用構成部材に適用できる連結部の実施形態を示す正面図である。
【図９】断面の直径が小さい仮設足場用構成部材に適用できる連結部の実施形態を示す正面図である。
【図１０】断面の直径が大きい仮設足場用構成部材に手摺りの連結部が連結された場合を示す仮設足場の斜視図である。
【図１１】手摺り本体の長さが伸縮可能となっている実施形態を示す手摺りの一部破断の正面図である。
【符号の説明】
【００５２】
１，１１  仮設足場
３，  仮設足場用構成部材である建枠
７  建枠の補剛材
１６  仮設足場用構成部材である単管による水平材
３０  手摺り
３１  手摺り本体
３２，１３２，２３２  連結部
３５，１３５，２３５  ベース部材
３８，１３８，２３８  遊動部材
４２，１４２，２４２  第１欠部
４７，１４７，２４７  第２欠部
５０，１５０，２５０  挿入部
５１  ストップ手段
【図１】
2008157022.tif 000003
【図２】
2008157022.tif 000004
【図３】
2008157022.tif 000005
【図４】
2008157022.tif 000006
【図５】
2008157022.tif 000007
【図６】
2008157022.tif 000008
【図７】
2008157022.tif 000009
【図８】
2008157022.tif 000010
【図９】
2008157022.tif 000011
【図１０】
2008157022.tif 000012
【図１１】
2008157022.tif 000013